(57)【要約】【課題】  ファクシミリ装置において、どのファクシミリ装置からでも相手先入力を行わなくても容易に同報送信を行うことができるようにする。【解決手段】  宛先情報がＱＲコードに変換された送信宛先原稿を用い、送信宛先原稿には送信先を選択するための選択手段を有し、送信原稿とともに読み取る。送信宛先原稿にあるＱＲコードを解析することにより、宛先の情報を得、選択された相手先に自動発呼を行う。送信原稿とともに読み取った送信宛先原稿は、送信する前に読み取り原稿から削除することにより、相手先に必要の無い情報を送らなくて良くなる。【選択図】  図１
2007110421.tif 000002
【特許請求の範囲】
【請求項１】
原稿を読み取るためのスキャナと、回線に対して自動的に発呼するための自動ダイヤル手段と読み取った原稿を記憶するための記憶手段を有するファクシミリ装置において、前記スキャナで原稿の所定の位置に記されたコードを読み取り、読み取ったコードを自動的に数値や文字に変換するコード変換手段と、コードが記されていたページを前記記憶手段に保存されている送信原稿から削除するためのコードページ削除手段と、コードから決められた位置にマークがあるかを検出するためのマーク検出手段と、前記マーク検出手段でマークが検出されたコードのみに前記自動ダイヤル手段でファクシミリ送信を行い、送信する原稿は前記コードページ削除手段でコードのあるページが削除された原稿であることを特徴とするファクシミリ装置。
【請求項２】
前記コードは、QRコードであることを特徴とする請求項1に記載のファクシミリ装置。
【請求項３】
上記ファクシミリ装置は、コードを読み取って送信した際に、送信エラーが発生した場合には、送信できなかった宛先情報、宛先情報が登録されたＱＲコード、マーク記載欄、およびエラー内容欄を含む送信エラーシートを作成し、前記エラーシートのＱＲコードにはエラー情報と回数を付加することを特徴とする請求項２に記載のファクシミリ装置。
【請求項４】
送信エラーの内容から考えられる状態を、エラーレポートのエラー記載欄に記載することを特徴とする請求項３に記載のファクシミリ装置。
【発明の詳細な説明】
【技術分野】
【０００１】
本発明は原稿画像を送信するファクシミリ装置に関するものである。
【背景技術】
【０００２】
ファクシミリ装置では原稿を送信するために、送信先の（FAX）番号をテンキーを使用して送信を行っている。よく使用する送信先に対しては、ワンタッチキーなどにあらかじめ登録しておき、登録したキーを使用して送信を行っている。そこで、キー操作によるFAX番号の入力の煩わしさを解消するために、特開平5-276346号公開特許公報に開示されたファクシミリ装置では、送信原稿に相手先FAX番号を記載しておき、その番号を自動的に読み取り、送信するようになっている。また、特開平2003-283781号公開特許公報に開示されたファクシミリ装置では、短縮番号をバーコード化したバーコードを読み取ることにより、読み取った番号に当てはまる、ファクシミリ装置内に登録されている短縮番号に送信するようになっている。
【特許文献１】特開平０５−２７６３４６号公報
【特許文献２】特開２００３−２８３７８１号公報
【発明の開示】
【発明が解決しようとする課題】
【０００３】
しかしながら、上記公開特許公報に記載したファクシミリ装置では、以下のような問題がそれぞれあった。すなわち、特開平5-276346号公開特許公報に示された技術では、原稿にFAX番号を書くと言う煩わしさと、同報送信などでは毎回FAX番号を書き直さなければいけないと言う煩わしさと、文字認識の判別精度によっては、誤判定により、誤発信してしまう可能性がある。また、特開平2003-283781号公開特許公報に示された技術では、用紙に記されたコードにより、ファクシミリに登録されている短縮番号を読み出してくるだけで、短縮番号が入った用紙を出力したファクシミリ以外では使用できないと言う問題がある。本発明は、上記の問題点を改善するためのものであり、その目的とするところは、送信宛先シートを用いることで、どのファクシミリからでもFAX番号を入力する際、入力操作を簡易に行えるようにし、および、同報送信を簡易に行えるようにようにすることである。
【課題を解決するための手段】
【０００４】
上記した目的を達成するために、本発明によれば、原稿を読み取るためのスキャナと、回線に対して自動的に発呼するための自動ダイヤル手段と読み取った原稿を記憶するための記憶手段を有するファクシミリ装置において、前記スキャナで原稿の所定の位置に記されたコードを読み取り、読み取ったコードを自動的に数値に変換するコード変換手段と、コードが記されていたページを前記記憶手段に保存されている送信原稿から削除するためのコードページ削除手段と、コードから決められた位置にマークがあるかを検出するためのマーク検出手段と、前記マーク検出手段でマークが検出されたコードのみに前記自動ダイヤル手段でファクシミリ送信を行い、送信する原稿は前記コードページ削除手段でコードのあるページが削除された原稿であることを特徴としている。
【発明の効果】
【０００５】
本発明のファクシミリ装置によれば、送信しようとするファクシミリ装置に送信相手先が登録されていなくても、プリントアウトされた送信宛先シートがあれば、チェック欄にマークするだけで同報送信を容易に行うことが出来、わざわざ、ユーザが操作部からの手入力による相手先番号を入力しなくてすむ。また、送信エラーが生じた場合、エラー内容がエラーレポートに記載され、また、ＱＲコード内にもエラー内容を登録するため、エラーレポートを使用して、再度送信エラーした場合はエラーの回数も分かるため、エラーの内容によっては、相手先情報の登録間違いなどが、ユーザに分からしめることができる。
【発明を実施するための最良の形態】
【０００６】
以下、図面を参照して本発明における一実施例を説明する。
【０００７】
図１は、本発明を適用したファクシミリ装置の概略構成を示すブロック図である。
【０００８】
ファクシミリ装置において、制御部１、ファクシミリのシステムを全体を制御する。
【０００９】
メモリ2は、制御部１が実行する制御プログラムや組み込みオペレーションシステムプログラム等を格納するROMやプログラム制御変数や管理データを格納するSRAMや、像データを蓄積するDRAM等で構成される。スキャナ３は、CISイメージセンサによって原稿を光学的に読み取り、電気的な画像データに変換した画像信号を制御部1に出力する。プリンタ4は、レーザビームプリンタやインクジェットプリンタ等からなる印刷装置であり、カラー画像データ、またはモノクロ画像データを印刷部材に印刷する。操作部５は、数値入力キー、文字入力キー、ワンタッチ電話番号キー、スタートキー、ストップキー、セットキー、送信キー等を備え、ユーザが画像送信相手先データの決定や設定データの登録動作を行う。表示部６は、LEDとLCD等により構成され、オペレータによる各種入力操作や、装置の動作状況、状態表示等を行う。画像処理部７は、スムージング処理や記録濃度補正処理、色補正等の各種画像処理を行い、また、画像データ（ＭＨ、ＭＲ、ＭＭＲ、ＪＢＩＧ、ＪＰＥＧ等）を符号復号化処理や、拡大縮小処理を行う。MODEM８は、通信回線から来る画像データや、通信回線に送る画像データに対して変復調を行う。NCU９は、回線からの呼び出し信号を着信したかを識別することが出来、回線とMODEM８間の信号が交信できるレベルに変更する。QRコードエンコード/デコード部１０は、スキャナ３で読み取られた画像から画像処理部７でQRコードを抜き取り、抜き取られたQRコードに記載されているデータを文字情報に変換したり、エラーレポートにQRコードを印刷するために、文字情報からＱＲコードに変換したりする。バス１１は、制御部１が管理し、それぞれを相互に接続している。
【００１０】
次に、本発明の実施例にかかる送信方法について、図２のフローチャートを用いて説明する。
【００１１】
ステップＳ1で、ＱＲコードが記載されたＱＲコード記載原稿とＦＡＸ原稿を、ファクシミリ装置の原稿台にセットする。ステップＳ２で、操作部５にある送信キーを押下し、スキャナ３を使用して、原稿台にある原稿を読み取り、メモリ２に記憶する。ステップＳ３で、原稿の所定の位置に、ＱＲコードが印字されているかをＱＲコードエンコード/デコード部１０で確認し、ＱＲコードが無い場合はステップＳ４に進み、操作部５からの相手先番号の入力を待つ。ステップＳ３で、ＱＲコードがある場合は、ステップＳ５で、読み取り原稿からＱＲコード記載原稿と、それ以外の原稿（送信原稿）に分けてメモリ２に記憶し直す。ステップＳ６で、ＱＲ記載コード原稿で、ＱＲコードの位置から決められた範囲にマークがあるかを画像処理部7で確認する。ステップＳ６で、マークが無い場合は、ステップＳ７で、送信する相手が無いことを表示部６にエラーメッセージとして表示する。ステップＳ６でマークがあった場合は、ステップＳ８に進み、ＱＲコード記載原稿にＱＲコードが複数あり、マークが複数あるかを画像処理部７で確認する。ステップＳ８でマークが１つしかないときは、ステップＳ９に進み、マークされたＱＲコードの情報をＱＲコードエンコード/デコード部１０で変換し、宛先情報をメモリ２に記憶し、宛先情報内の宛先番号（ＦＡＸ番号）に発呼を行う。ステップＳ１０で、送信相手先に対して送信が終了したかを確認し、終了するまでこの動作を続ける。ステップＳ１０で、送信が終了した場合は、ステップＳ１１に進み、正常に送信が終了したかを確認する。ステップＳ１１で、正常に終了した場合は、ステップＳ１２でメモリ２から送信原稿、ＱＲコード記載原稿、相手先情報を削除し、終了する。ステップＳ１１で、正常に終了しなかった場合は、ステップＳ１３で、表示部６に送信が正常に終了しなかったことをエラー表示として表示し、再度送信をするようユーザに促し、ステップＳ１２で、メモリ２から送信原稿、ＱＲコード記載原稿、相手先情報を削除し、終了する。ステップＳ８で、マークが複数あった場合はステップＳ１４に進む。ステップＳ１４で、マークが記してあるＱＲコードの情報を順次、ＱＲコードエンコード/デコード部１０で変換し、宛先情報をメモリ２に記憶し、宛先情報内の宛先番号（ＦＡＸ番号）に対して、順次、送信を行う。ステップＳ１５で、メモリ２に記憶されたすべての宛先に対して、送信が終了したかを確認し、終了するまでこの動作を続ける。ステップＳ１５ですべての宛先に対して、送信し終えた場合は、ステップＳ１６で、送信した中で、エラー等で送信できなかった宛先があるかを確認し、無い場合は、ステップＳ１２に進み、メモリ２から送信原稿、ＱＲコード記載原稿、相手先情報を削除し、終了する。ステップＳ１６で、エラー等で送信できなかった宛先がある場合は、ステップＳ１７に進む。ステップＳ１７で、エラーした相手先の情報とエラー内容をＱＲコードエンコード/デコード部１０でＱＲコードに変換して、ＱＲコードを記載した書式に則ったエラーレポートを作成し（作成したエラーレポートにはエラー内容とエラー内容から考えられる状態を記載する）、プリンタ４から出力する。出力し終わったならば、ステップＳ１２に進み、メモリ２から送信原稿、ＱＲコード記載原稿、相手先情報を削除し、終了する。今回、図示はしないが送信する宛先が一つであっても、複数と同じ流れをとっても流れをとっても良い。
【００１２】
図３はファクシミリ装置が読み取る送信用マークシートを示したものである。
このマークシートには、ＱＲコード３１、チェック欄３２、宛先３３、ＦＡＸ番号３４が記載されている。ＱＲコード３１には、宛先３３とＦＡＸ番号３４の情報が登録されている。
【００１３】
図４はファクシミリ装置から出力されるエラーレポートを示したものである。
このエラーレポートには、ＱＲコード３１、チェック欄３２、宛先３３、ＦＡＸ番号３４、および、エラー内容４１が記載されている。このエラーレポートのＱＲコード３１には、ＱＲコードエンコード/デコード部１０により、エラー内容も追加されている。このエラーレポートも送信用の宛先として使用できるように、送信用マークシートと同じＱＲコード３１、チェック欄３２の位置にしてある。このエラーレポートを使用して送信した場合、同じエラー内容であった場合は、エラー内容の欄に回数も記載する。相手先応答無しなどが数回続いた場合は、エラー内容に追加して相手先情報を見直してください表示などを追記することで、送信者が受信者の情報で間違い等があるかを見つけることを可能としている。
【図面の簡単な説明】
【００１４】
【図１】本発明の実施形態に係るファクシミリ装置の構成を示すブロック図である。
【図２】本発明の実施形態に係るファクシミリ装置における、番号リストを用いた送信動作の処理の流れを示すフローチャートである。
【図３】本発明の実施形態に係るファクシミリ装置で、送信時に使用する番号リストの例を示した説明図である。
【図４】本発明の実施形態に係るファクシミリ装置で、送信エラーを起こしたときに出力されるエラーレポートの例を示した説明図である。
【符号の説明】
【００１５】
１  制御部
２  メモリ
３  スキャナ
４  プリンタ
５  操作部
６  表示部
７  画像処理部
８  MODEM
９  NCU
１０  QRコードエンコード/デコード部
１１  バス
【図１】
2007110421.tif 000003
【図２】
2007110421.tif 000004
【図３】
2007110421.tif 000005
【図４】
2007110421.tif 000006